(57)【要約】【課題】利用者に各種の情報を多様な表示方法で提供しつつ、電子機器の消費電力を抑制することができる表示モジュール、表示装置及びその制御方法、制御プログラムを提供する。【解決手段】表示装置１０は、処理能力の異なる２つのプロセッサ１００、２００を備え、プロセッサ１００及び２００が相互に連携することにより、動作モードに応じて個別のインターフェースＩ／Ｆ（Ａ）、Ｉ／Ｆ（Ｂ）を介して表示部３００のドライバ回路３１０に画像データを書き込む。ドライバ回路４１０は、画像データに基づく画素データを、メモリ性液晶パネルである表示パネル３３０の各画素ＰＩＸに書き込んで、保持させることにより、表示パネル３３０における画像の表示形態が制御される。【選択図】図１
2017116661.tif 000002
【特許請求の範囲】
【請求項１】
メモリ性を有する複数の画素からなり、前記複数の画素の各々に保持された画素データに基づいて所定の画像が表示される表示パネルと、
第１の転送速度で第１の画像データを受信する第１の受信ポートと、前記第１の転送速度よりも遅い第２の転送速度で第２の画像データを受信する第２の受信ポートとを備え、前記表示パネルの前記複数の画素の各々に、前記第１の画像データ及び前記第２の画像データに基づく前記画素データを書き込むドライバ回路と、
を有し、
前記ドライバ回路は、
第１の表示モードでは、前記第１の受信ポートを介して受信した前記第１の画像データに基づく前記画素データを、前記複数の画素の各々に書き込んで、前記表示パネルに前記第１の画像データに基づく第１の画像を表示し、
第２の表示モードでは、前記第１の受信ポートからの受信を停止し、前記第２の受信ポートを介して受信した前記第２の画像データに基づく前記画素データを、前記複数の画素の各々に書き込んで、前記表示パネルに前記第２の画像データに基づく第２の画像を表示する、
ことを特徴とする表示モジュール。
【請求項２】
前記ドライバ回路は、
第３の表示モードでは、前記第１の受信ポートを介して受信した前記第１の画像データに基づく前記画素データを、前記複数の画素の各々に書き込んで、前記表示パネルに前記第１の画像データに基づく前記第１の画像を表示した状態で、前記第２の受信ポートを介して受信した前記第２の画像データに基づく前記画素データを、前記複数の画素の各々に書き込んで、前記第１の画像の一部を前記第２の画像に書き換えることを特徴とする請求項１に記載の表示モジュール。
【請求項３】
前記第１の受信ポートは、前記第１の画像データを受信する際の前記第１の転送速度に対応した第１の通信規格を有し、
前記第２の受信ポートは、前記第２の画像データを受信する際の前記第２の転送速度に対応した第２の通信規格を有し、
前記第１の通信規格と前記第２の通信規格は異なることを特徴とする請求項１又は２に記載の表示モジュール。
【請求項４】
前記ドライバ回路は、前記複数の画素の各々に保持された前記画素データとは関係なく、前記第１の受信ポート又は前記第２の受信ポートを介して受信した前記画像データを、前記表示パネルに表示させることを特徴とする請求項１乃至３のいずれかに記載の表示モジュール。
【請求項５】
前記ドライバ回路は、フレームメモリを備え、前記複数の画素の各々に保持された前記画素データとは関係なく、前記フレームメモリに記憶された前記画像データを、前記表示パネルに表示させることを特徴とする請求項１乃至３のいずれかに記載の表示モジュール。
【請求項６】
前記ドライバ回路は、
少なくとも前記第１の受信ポートを介して受信した前記第１の画像データを保持するフレームメモリを備え、
前記第１の表示モードでは、前記フレームメモリに保持された前記第１の画像データを参照して、前記複数の画素の各々に書き込まれた前記画素データを書き換えることにより、前記第１の画像を書き換え、
前記第２の表示モードでは、前記第２の受信ポートを介して受信し前記フレームメモリに保持された前記第２の画像データを参照して、前記複数の画素の各々に書き込まれた前記画素データを書き換えることにより、又は、前記第２の受信ポートを介して受信した前記第２の画像データに基づいて、前記複数の画素の各々に書き込まれた前記画素データを直接書き換えることにより、前記第２の画像を書き換える、
ことを特徴とする請求項１乃至４のいずれかに記載の表示モジュール。
【請求項７】
前記表示パネルに設けられた前記複数の画素は、各々、複数のサブ画素を有し、
前記ドライバ回路は、
前記第１の表示モードでは、前記フレームメモリに保持された前記第１の画像データに基づく前記画素データを、前記サブ画素単位で読み出して、前記複数の画素の前記サブ画素に書き込むことにより、前記第１の画像を書き換え、
前記第２の表示モードでは、前記フレームメモリに保持された前記第２の画像データに基づく前記画素データを、前記サブ画素単位で読み出して、前記複数の画素の前記サブ画素に書き込むことにより、又は、前記第２の受信ポートを介して受信した前記第２の画像データに基づく前記画素データを、前記サブ画素単位で、前記複数の画素の前記サブ画素に直接書き込むことにより、前記第２の画像を書き換える、
ことを特徴とする請求項５又は６に記載の表示モジュール。
【請求項８】
前記ドライバ回路は、
前記第１の表示モードでは、前記複数の画素の各々の前記サブ画素に、所定の複数ビットからなる前記画素データを書き込んで、前記第１の画像を表示し、
前記第２の表示モードでは、前記複数の画素の各々の前記サブ画素に、前記複数ビットよりも小さいビット数、又は、１ビットからなる前記画素データを書き込んで、前記第２の画像を表示する、
ことを特徴とする請求項７に記載の表示モジュール。
【請求項９】
前記第１の表示モードのとき、前記画像データは、前記画素を構成するＲ（赤）、Ｇ（緑）、Ｂ（青）の各色の前記サブ画素当たり複数ビットで構成され、
前記第２の表示モードのとき、前記画像データは、前記Ｒ（赤）、Ｇ（緑）、Ｂ（青）の各色の前記サブ画素当たり１ビットで構成されることを特徴とする請求項８に記載の表示モジュール。
【請求項１０】
第１の動作周波数で動作し、第１の画像データを生成する第１のプロセッサと、
前記第１の動作周波数よりも低い第２の動作周波数で動作し、第２の画像データを生成する第２のプロセッサと、
メモリ性を有する複数の画素からなり、前記複数の画素の各々に保持された画素データに基づいて所定の画像が表示される表示パネルと、
前記第１のプロセッサに接続され、第１の転送速度で前記第１の画像データを受信する第１の受信ポートと、前記第２のプロセッサに接続され、前記第１の転送速度よりも遅い第２の転送速度で前記第２の画像データを受信する第２の受信ポートとを備え、前記表示パネルの前記複数の画素の各々に、前記第１の画像データ及び前記第２の画像データに基づく前記画素データを書き込むドライバ回路と、
を有し、
前記第１のプロセッサ及び前記第２のプロセッサはそれぞれ連携通信部を介し所定の連携信号を送受信して相互に連携して前記ドライバ回路を制御して、前記複数の画素の各々に、前記第１の画像データに基づく前記画素データを書き込んで、前記表示パネルに前記第１の画像データに基づく第１の画像を表示する第１の表示モードと、前記第１のプロセッサを休止状態に設定して前記第１の画像データを受信することなく、前記複数の画素の各々に、前記第２の画像データに基づく前記画素データを書き込んで、前記表示パネルに前記第２の画像データに基づく第２の画像を表示する第２の表示モードと、を切り換えることを特徴とする表示装置。
【請求項１１】
第１の表示モードと第２の表示モードとを切り換え換え可能な表示装置であって、
画素毎にメモリを有する表示パネルと、
第１の受信ポートと第２の受信ポートを有し、前記表示パネルを駆動するドライバ回路と、
前記表示パネルに表示させる画像データを記憶するフレームメモリと、
前記第１の表示モードを制御する第１のプロセッサと、
前記第２の表示モードを制御する第２のプロセッサと、
を有し、
前記第１の表示モードのとき、前記第１のプロセッサが、前記第１の受信ポートを介して前記フレームメモリ内の前記画像データを書き換えることにより前記表示パネルの表示を書き換え、
前記第２の表示モードのとき、前記第２のプロセッサが、前記表示パネルの表示を書き換える、
ことを特徴とする表示装置。
【請求項１２】
前記第２の表示モードのとき、前記第２のプロセッサが、前記第２の受信ポートを介して前記画素毎の前記メモリを直接書き換えることにより、前記画素毎の前記メモリを書き換えることにより、前記表示パネルの表示を書き換える、
ことを特徴とする請求項１０又は１１に記載の表示装置。
【請求項１３】
前記第２の表示モードのとき、前記第２のプロセッサが、前記フレームメモリ内の前記画像データを書き換え、前記ドライバ回路が前記フレームメモリ内の前記画像データを参照して、前記画素毎の前記メモリを書き換えることにより、前記表示パネルの表示を書き換える、ことを特徴とする請求項１１に記載の表示装置。
【請求項１４】
前記表示パネルの視野側に、前記第２の画像データに基づいて表示状態が制御される、透過表示が可能な他の表示パネルを有し、
前記ドライバ回路は、
前記表示パネルに前記第１の画像データに基づく前記第１の画像を表示した状態で、前記他の表示パネルに前記第２の画像データに基づく前記第２の画像を表示することを特徴とする請求項１０乃至１３のいずれかに記載の表示装置。
【請求項１５】
第１のプロセッサにより第１の画像データを生成し、
第２のプロセッサにより第２の画像データを生成し、
前記第１のプロセッサ及び前記第２のプロセッサをそれぞれ連携通信部を介し所定の連携信号を送受信して相互に連携させて、表示パネルに設けられたメモリ性を有する複数の画素の各々に、前記第１のプロセッサから第１の受信ポートを介して送信された前記第１の画像データに基づく画素データを書き込み、前記表示パネルに前記第１の画像データに基づく第１の画像を表示する第１の表示モードと、前記第１のプロセッサを停止状態に設定して、前記複数の画素の各々に、前記第２のプロセッサから第２の受信ポートを介して送信された前記第２の画像データに基づく前記画素データを書き込み、前記表示パネルに前記第２の画像データに基づく第２の画像を表示する第２の表示モードと、を切り換えることを特徴とする表示装置の制御方法。
【請求項１６】
コンピュータを、請求項１０乃至１４のいずれかに記載の表示装置として機能させるための、あるいは、コンピュータに、請求項１５に記載の制御方法を実行させるための表示装置の制御プログラム。
【発明の詳細な説明】
【技術分野】
【０００１】
本発明は、各種の情報を表示する機能を備えた電子機器に適用される表示技術に関する。
【背景技術】
【０００２】
近年、人体に装着して運動時や日常生活における各種のデータを収集する、いわゆるスマートデバイスや、スマートフォン（高機能型携帯電話機）やタブレット端末等の携帯型の情報通信機器の普及が著しい。このような機器をはじめとして、一般に普及している様々な電子機器には、利用者に各種の情報を提供するための表示装置が搭載されている。
【０００３】
ここで、表示装置により表示される情報は、利用者による視認性の向上や、表示の高機能化への要望等に対応するため、高精細かつ高速（スムーズ）なカラー表示が求められるようになってきている。このようなカラー表示においては、一般に消費電力が増大するため、上述したような装着型や携帯型の電子機器では駆動時間が短くなったり、据置型の電子機器の場合には省電力性能が低下したりする場合があった。また、このようなカラー表示に対応した電子機器において、時刻表示や着信表示等の比較的情報量の少ない簡易な情報であってもモノカラー表示やモノクロ表示する場合には、消費電力が比較的大きくなる場合があった。
【０００４】
そのため、高精細かつ高速なカラー表示や簡易な情報表示等の多様な表示機能を実現しつつ、消費電力を削減することができる手法が種々考案されている。
例えば特許文献１には、複合機等の画像形成装置において、操作パネル部に消費電力の少ない小型の第１表示パネルと消費電力の多い大型の第２表示パネルとを備えた構成が記載されている。このような構成において、通常動作モードでは第２表示パネルをＯＦＦにするとともに第１表示パネルのみをＯＮにして表示可能とし、詳細表示モードでは第１表示パネルをＯＦＦにするとともに第２表示パネルのみをＯＮにして、設定内容の詳細確認や変更操作が行える状態とすることにより、操作パネル部の情報表示機能や操作性を低下させることなく、省電力化を実現することが記載されている。
【０００５】
また、特許文献２には、液晶表示装置において、マトリクス状に配列された各画素に、透過表示領域と反射表示領域とが配設され、各表示領域に個別のサブ画素が設けられた構成が記載されている。このような構成において、外光の状態に応じて表示モードを選択することにより、透過モードでは各画素の透過表示領域のサブ画素により透過表示を行うことにより鮮やかなカラー表示を実現し、反射モードでは各画素の反射表示領域のサブ画素により反射表示を行うことにより明るいモノカラー表示又はモノクロ表示を実行しつつ、消費電力を削減することが記載されている。
【先行技術文献】
【特許文献】
【０００６】
【特許文献１】特開２０１０−１６４７８１号公報
【特許文献２】特開２００７−１２１３６８号公報
【発明の概要】
【発明が解決しようとする課題】
【０００７】
しかしながら、上述した特許文献１に記載された構成においては、一つのＣＰＵにより操作パネル部における表示モードを常に監視して切り換えを判定する必要があるため、ＣＰＵにおける処理負担が増大して、消費電力を十分に削減することができない場合があるという問題を有している。
【０００８】
また、上述した特許文献２に記載された構成においては、各画素に透過表示用のサブ画素と反射表示用のサブ画素を形成し、これらを表示モードに応じて個別に制御する必要があるため、表示制御が繁雑になりＣＰＵにおける処理負担が増大するという問題を有している。
【０００９】
そこで、本発明は、上述した問題点に鑑みて、利用者に各種の情報を多様な表示方法で提供しつつ、電子機器の消費電力を抑制することができる表示モジュール、表示装置及びその制御方法、制御プログラムを提供することを目的とする。
【課題を解決するための手段】
【００１０】
本発明に係る一つの態様は、
メモリ性を有する複数の画素からなり、前記複数の画素の各々に保持された画素データに基づいて所定の画像が表示される表示パネルと、
第１の転送速度で第１の画像データを受信する第１の受信ポートと、前記第１の転送速度よりも遅い第２の転送速度で第２の画像データを受信する第２の受信ポートとを備え、前記表示パネルの前記複数の画素の各々に、前記第１の画像データ及び前記第２の画像データに基づく前記画素データを書き込むドライバ回路と、
を有し、
前記ドライバ回路は、
第１の表示モードでは、前記第１の受信ポートを介して受信した前記第１の画像データに基づく前記画素データを、前記複数の画素の各々に書き込んで、前記表示パネルに前記第１の画像データに基づく第１の画像を表示し、
第２の表示モードでは、前記第１の受信ポートからの受信を停止し、前記第２の受信ポートを介して受信した前記第２の画像データに基づく前記画素データを、前記複数の画素の各々に書き込んで、前記表示パネルに前記第２の画像データに基づく第２の画像を表示する、
ことを特徴とする表示モジュールである。
【発明の効果】
【００１１】
本発明によれば、利用者に各種の情報を多様な表示方法で提供しつつ、電子機器の消費電力を抑制することができる。
【図面の簡単な説明】
【００１２】
【図１】本発明に係る表示装置の第１の実施形態を示す概略ブロック図である。
【図２】第１の実施形態に係る表示装置を適用される表示パネルの一例を示す詳細図である。
【図３】第１の実施形態に係る表示装置の制御方法の一例を示すフローチャートである。
【図４】第１の実施形態に係る表示装置における表示形態（その１）を示す図である。
【図５】第１の実施形態に係る表示装置における表示形態（その２）を示す図である。
【図６】第１の実施形態に係る表示装置における表示形態（その３）を示す図である。
【図７】第１の実施形態の作用効果を説明するための比較例を示す概略ブロック図である。
【図８】比較例における画面表示の例を示す図である。
【図９】本発明に係る表示装置の第２の実施形態を示す概略ブロック図である。
【図１０】第２の実施形態に係る表示装置の制御方法の一例を示すフローチャートである。
【図１１】第２の実施形態に係る表示装置における表示形態を示す図である。
【図１２】各実施形態における変形例を示す概略ブロック図である。
【発明を実施するための形態】
【００１３】
以下に、本発明について実施形態を示して詳しく説明する。
＜第１の実施形態＞
（表示モジュール、表示装置）
図１は、本発明に係る表示装置の第１の実施形態を示す概略ブロック図である。ここでは、本実施形態に係る表示装置を、装着型や携帯型の電子機器に適用した場合の構成例を示す。ここで、本実施形態に係る表示装置は、例えば腕時計型やリストバンド型のスマートウォッチや、スマートフォン、携帯電話機、アウトドア用の携帯機器（例えばＧＰＳロガー）、車載用の機器（例えばナビゲーションシステム）等を含む、表示パネルを備えた様々な電子機器に適用することができる。また、図２は、本実施形態に係る表示装置を適用される表示パネルの一例を示す詳細図である。
【００１４】
本実施形態に係る表示装置１０は、具体的には、例えば図１に示すように、プロセッサ（第１のプロセッサ）１００と、プロセッサ（第２のプロセッサ）２００と、表示部（表示モジュール）３００と、を有している。プロセッサ１００には、少なくとも入力操作部１２０と、メモリ部１４０と、表示部３００とが接続されている。また、プロセッサ２００には、少なくともセンサ部２１０と、入力操作部２２０と、出力部２３０と、メモリ部２４０と、表示部３００とが接続されている。
【００１５】
プロセッサ１００は、ＣＰＵ（中央演算処理装置）やＭＰＵ（マイクロプロセッサ）等の演算回路であって、所定の制御プログラムやアルゴリズムプログラムを実行することにより、入力操作部１２０における操作信号に応じた処理動作や、後述する表示部３００における各種の情報の表示等を制御する。また、プロセッサ１００は、例えばＭＩＰＩ（Mobile Industry Processor Interface）等のシリアルインターフェースや、各種のパラレルインターフェース等の、データ転送速度が比較的速い通信規格（第１の転送速度に対応した第１の通信規格）を有するインターフェース（図中、「Ｉ／Ｆ（Ａ）」と表記）を介して表示部３００のインターフェース回路３１２に接続されている。そして、プロセッサ１００は生成した画像データ（第１の画像データ）を含む所定の信号を表示部３００に送受信することにより、表示部３００に所定の画像を表示する。また、プロセッサ１００は、連携通信部１５０を備え、後述するプロセッサ２００との間で所定の連携信号を送受信することにより、プロセッサ２００と連携かつ同期して、少なくとも表示部３００の表示状態を制御する。連携通信部１５０は、例えばＵＡＲＴ（Universal Asynchronous Receiver Transmitter）やＩ２Ｃ（Inter-Integrated Circuit）等のシリアル通信規格の接続ポートを有し、プロセッサ２００に設けられた連携通信部２５０に接続することにより、少なくとも表示部３００における表示状態を制御するための所定の連携信号や割り込み信号を送受信する。
【００１６】
ここで、本実施形態に適用されるプロセッサ１００は、少なくとも、表示部３００（の表示領域全域）における高機能な表示を制御することができる程度の、比較的処理能力が高い演算回路が適用される。本実施形態において、高機能な表示とは、例えば、高精細なカラー画像やカラーグラフィック、滑らかな動画やアニメーション表示、トランジションエフェクト等の視覚効果等のように、階調数が多く表現力の高い画像（すなわち、データ容量が大きい画像）や、画面表示の更新頻度や変化（動き）が多い画像（以下、便宜的に「高機能画像」と総称する；第１の画像）の表示をいう。このようなプロセッサ１００に適用される演算回路は、一般に高い動作周波数（第１の動作周波数）で各種の処理動作を実行するため消費電力が大きなものとなる。これは換言すると、プロセッサ１００として、比較的処理能力が高く（ハイパフォーマンス）、かつ、消費電力の高い（ハイパワー）演算回路を適用する必要があることを意味する。本実施形態においては、後述する表示部３００の表示パネル３３０に対して、例えば３０ｆｐｓや６０ｆｐｓの比較的高いフレームレートでの画像の書き込みを実現するため、プロセッサ１００として、例えば数百ＭＨｚ〜１ＧＨｚ程度の、比較的高い動作周波数を有するものを適用する。ここで、プロセッサ１００において実行される制御プログラムやアルゴリズムプログラムは、メモリ部１４０に保存されているものであってもよいし、プロセッサ１００の内部に予め組み込まれているものであってもよい。
【００１７】
入力操作部１２０は、後述する表示部３００に設けられる表示パネル３３０の視野側に配置されたタッチパネル等の入力手段であり、ユーザの入力操作に起因する各種の操作信号をプロセッサ１００に出力する。これにより、プロセッサ１００において、表示パネル３３０に表示する項目や情報の選択や設定等が行われる。
【００１８】
メモリ部１４０は、プロセッサ１００において所定の制御プログラムやアルゴリズムプログラムを実行する際に使用するデータや生成されるデータ、表示部３００に表示するためのデータ等を保存する。また、メモリ部１４０は、プロセッサ１００において実行される制御プログラムやアルゴリズムプログラムが保存されるものであってもよい。なお、メモリ部１４０は、その一部又は全部が、例えばメモリカード等のリムーバブル記憶媒体としての形態を有し、表示装置１０に対して着脱可能に構成されているものであってもよい。
【００１９】
プロセッサ２００は、上述したプロセッサ１００と同様に、ＣＰＵやＭＰＵ等の演算回路であって、所定の制御プログラムやアルゴリズムプログラムを実行することにより、センサ部２１０におけるセンシング動作や、入力操作部２２０における入力操作に応じた処理動作、出力部２３０における各種の情報の提供、後述する表示部３００における各種の情報の表示状態等を制御する。また、プロセッサ２００は、例えばＳＰＩ（Serial Peripheral Interface）等のシリアルインターフェース等のデータ転送速度が比較的遅い通信規格（第２の転送速度に対応した第２の通信規格）を有するインターフェース（図中、「Ｉ／Ｆ（Ｂ）」と表記）を介して表示部３００のインターフェース回路３１２に接続されている。そして、プロセッサ２００は、生成した画像データ（第２の画像データ）を含む所定の信号を表示部３００に送受信することにより、表示部３００に所定の画像を表示する。また、プロセッサ２００は、上述したプロセッサ１００に設けられた連携通信部１５０と同等の構成を有する連携通信部２５０を備え、上述したプロセッサ１００との間で所定の連携信号を送受信することにより、プロセッサ１００と連携かつ同期して、少なくとも表示部３００における表示状態を制御する。
【００２０】
ここで、本実施形態に適用されるプロセッサ２００は、例えば、周期的にセンシング動作を行うセンサ部２１０等を制御したり、表示部３００に簡易な画像を表示したりすることができる程度の、比較的処理能力が低い演算回路が適用される。本実施形態において、簡易な画像（第２の画像）とは、例えば、時刻やアイコン等のモノカラーやモノクロ画像、セグメント画像等のように、階調数が少なく表現力の低い画像（すなわち、データ容量が小さい画像）や、画面表示の更新領域が限定された画像をいう。このようなプロセッサ２００に適用される演算回路は、一般に低い動作周波数（第２の動作周波数）で処理動作を実行すればよいため消費電力を低く抑えることができる。これは換言すると、プロセッサ２００として、上述したプロセッサ１００に比較して低い動作周波数で動作し、比較的処理能力が低く（ローパフォーマンス）、かつ、消費電力の低い（ローパワー）演算回路を適用することができることを意味する。本実施形態においては、プロセッサ２００として、センサ部２１０における良好なセンシング動作を実現するため、例えば数ＭＨｚ〜数十ＭＨｚ程度の、比較的低い動作周波数で動作するものを適用する。ここで、プロセッサ２００において実行される制御プログラムやアルゴリズムプログラムは、メモリ部２４０に保存されているものであってもよいし、プロセッサ２００の内部に予め組み込まれているものであってもよい。
【００２１】
センサ部２１０は、例えば、加速度センサやジャイロセンサ、地磁気センサ、気圧センサ、温湿度センサ、脈拍センサ、心拍センサ等のセンサ手段や、ＧＰＳ受信部を備えた測位手段であり、ユーザの運動中や日常生活における物理的なデータや、生体的なデータ、地理的なデータ等（以下、「センサデータ」と総称する）を取得してプロセッサ２００に出力する。
【００２２】
入力操作部２２０は、例えば電子機器の筐体に設けられたボタンスイッチやスライドスイッチ、マイク等の入力手段であり、ユーザの入力操作に起因する各種の操作信号をプロセッサ２００に出力する。これにより、プロセッサ２００において、センサ部２１０や出力部２３０における動作の設定や制御、後述する表示部３００に表示する項目や情報の選択や設定等が行われる。
【００２３】
出力部２３０は、ブザーやスピーカ等の音響手段や、振動モータや振動子等の振動手段であり、所定の音色や音パターン、音声メッセージ等の音情報、あるいは、所定の振動パターンやその強弱等の振動情報を発生することにより、聴覚や触覚を通してユーザに各種の情報を提供又は報知する。ここで、出力部２３０は、後述する表示部３００に表示される各種の情報等に連動して、所定の音情報や振動情報を発生させるものであってもよい。
【００２４】
メモリ部２４０は、センサ部２１０により取得したセンサデータ等を所定の記憶領域に保存する。また、メモリ部２４０は、プロセッサ２００において所定の制御プログラムやアルゴリズムプログラムを実行する際に使用するデータや生成されるデータ等を保存する。また、メモリ部２４０は、プロセッサ２００において実行される制御プログラムやアルゴリズムプログラムが保存されるものであってもよい。なお、メモリ部２４０は、上述したプロセッサ１００に接続されたメモリ部１４０と一体的に構成されているものであってもよい。
【００２５】
表示部３００は、図１に示すように、ドライバ回路（又は、ドライバＩＣ；ドライバ回路）３１０と、反射型のパネル構造を有する表示パネル３３０と、を有している。ドライバ回路３１０は、インターフェース回路３１２と、フレームメモリ３１４と、ＬＣＤコントローラ（図中、「コントローラ」と略記）３１６と、走査ドライバ３１８と、データドライバ３２０と、を備えている。
【００２６】
インターフェース回路３１２は、プロセッサ１００及びプロセッサ２００の各々から、個別の信号線を介して画像データを含む所定の信号を受信するための、異なる規格の複数の受信ポートを有している。具体的には、インターフェース回路３１２は、少なくとも第１の受信ポートにおいて、例えばＭＩＰＩ等のデータ転送速度が比較的速いインターフェースＩ／Ｆ（Ａ）を介してプロセッサ１００に接続され、また、第２の受信ポートにおいて、例えばＳＰＩ等のデータ転送速度が比較的遅いインターフェースＩ／Ｆ（Ｂ）を介してプロセッサ２００に接続されている。
【００２７】
フレームメモリ３１４は、プロセッサ１００及びプロセッサ２００により生成され、上記のインターフェース回路３１２を介して個別に送信された画像データを順次上書きして、表示パネル３３０の一画面分の画像データを保存する。具体的には、フレームメモリ３１４に対して、プロセッサ１００及び２００のいずれか一方からの画像データが書き込まれている状態で、他方のプロセッサから画像データが書き込まれると、後者の画像データが有効になるように上書き保存される。ここで、画像データの書き込み時にアドレスを指定することにより、フレームメモリ３１４に既に書き込まれている画像データのうち、対応するアドレスの画像データのみが上書きされる。なお、プロセッサ１００及びプロセッサ２００の各々から、ドライバ回路３１０に画像データを送信するタイミングは、プロセッサ１００とプロセッサ２００との間で連携信号を送受信して相互に連携かつ同期することにより制御される。
【００２８】
ＬＣＤコントローラ３１６は、フレームメモリ３１４に保存された画像データをアドレスごとに読み出し、走査ドライバ３１８及びデータドライバ３２０を制御して所定のフレームレートで表示パネル３３０の各画素ＰＩＸに順次書き込むことにより、上記画像データに基づく画像を、表示パネル３３０の一画面単位で、又は、表示パネル３３０の特定の領域に表示させる。
【００２９】
表示パネル３３０は、メモリ性を有する複数の画素ＰＩＸがマトリクス状に配列された反射型のカラー液晶パネル（以下、「メモリ性液晶パネル」と略記；図中、「ＭＩＰ液晶」と表記）であって、プロセッサ１００及びプロセッサ２００において生成された画像データに基づいて、上述したドライバ回路３１０により各種の情報が所定の表示形態（高機能画像や簡易な画像等）で表示される。
【００３０】
ここで、表示パネル３３０に適用されるメモリ性液晶パネルは、具体的には、図１、図２（ａ）に示すように、走査ドライバに接続された各走査ラインとデータドライバに接続された各データラインとの交点近傍に配置された画素ＰＩＸの各々に、画素内メモリ３４２と、表示電圧供給回路３４４と、画素電極３４６とを有している。画素内メモリ３４２は、例えばＳＲＡＭ（Static Random Access Memory；スタティックランダムアクセスメモリ）を適用することができる。なお、メモリ性液晶パネルが、反射型のパネル構造を有する場合には、例えば画素電極３４６に対向する対向電極（図示を省略）として、反射率の高い薄膜材料素用いることにより、外光を反射する反射板としての機能させることができる。
【００３１】
そして、本実施形態においては、このようなメモリ性液晶パネルにおける表示制御方法として、次に示すような２通りの手法を、表示モードや画像の更新頻度、書き換える領域等に応じて切り換えて実行することができるという特徴を有している。なお、表示モードについては、後述する表示装置の制御方法において詳しく説明する。
【００３２】
メモリ性液晶パネルの第１の表示制御方法においては、図２（ａ）に示すように、まず、走査ラインにより画素ＰＩＸが選択された状態で、データラインに画像データに基づく画素データが供給されることにより、各画素ＰＩＸの画素内メモリ３４２に画素データが記憶（保持）される。そして、表示電圧供給回路３４４により、画素内メモリ３４２に記憶された画素データに応じた電圧を画素電極３４６に印加することにより、画素電極３４６と対向電極との間の電圧（画素電圧）に基づいて液晶が配向して、各画素ＰＩＸにおける表示状態が制御される。
【００３３】
このような第１の表示制御方法を適用したメモリ性液晶パネルにおいては、各画素ＰＩＸの画素内メモリ３４２に記憶された画素データに応じた所定の電圧が、表示電圧供給回路３４４から画素電極３４６に印加される状態が保持されて、画素電極３４６における電位変動が発生しないため、画面表示が保持されるという特性を有している。そのため、この場合のメモリ性液晶パネルは、例えば、書き換えの必要がない静止画像や書き換えの頻度（更新頻度）が少ない画像や、特定の表示領域においてのみ画像の書き換えが必要な画像を表示する場合に適している。すなわち、一般的なアクティブマトリクス型の液晶パネルのように、表示パネル３３０における表示状態を維持するために所定の周期（例えば６０Ｈｚの周波数）で各画素の画素電極に画素データを繰り返し書き込む必要がない。また、画像の書き換えが必要な期間や領域では、画像の変化が生じる領域の画素ＰＩＸに対して、アドレスを指定して画素データを書き込むことができるため、画素データを規定する画像データを生成するプロセッサの処理負担を軽減することができる。
【００３４】
また、この場合のメモリ性液晶パネルにおいては、対向電圧の反転周波数を低く設定（例えば１Ｈｚ）することができるとともに、画素電極３４６に印加する電圧を低く設定（例えば５Ｖ）することができる。さらに、反射型のパネル構造を有するメモリ性液晶パネルにおいては、明るい屋外等においても鮮明で視認性が高い画像を表示することができるので、バックライト等の光源を備える必要がない。したがって、第１の表示制御方法を適用したメモリ性液晶パネルによれば、アクティブマトリクス型の液晶パネルに比較して、画素データの書き換え動作を低周波数化することができるとともに、書き込み電圧を低電圧化することができ、ドライバ回路３１０の処理負担を軽減しつつ、表示装置１０の消費電力を大幅に削減することができる。
【００３５】
また、本実施形態に適用されるメモリ性液晶パネルにおいては、第２の表示制御方法として、図２（ａ）に示した画素内メモリ３４２及び表示電圧供給回路３４４を使用することなく（すなわち、画素内メモリ３４２に画素データを保存することなく、又は、画素内メモリ３４２に保持された画素データに関係なく）、一般的なアクティブマトリクス型の液晶パネルと同等の表示制御方法により、各画素ＰＩＸにおける表示状態を制御することができる。すなわち、図２（ｂ）に示すように、走査ラインにより画素ＰＩＸが選択されることにより、画素トランジスタ（ＴＦＴ）３４８を介してデータラインに供給された画素データに応じた電圧が、各画素ＰＩＸの画素電極３４６に印加されて各画素ＰＩＸにおける表示状態（液晶の配向状態）が制御される。ここで、各画素ＰＩＸへの書き込みに使用される画像データは、インターフェース回路３１２の各受信ポートを介して受信し、フレームメモリ３１４に記憶された画像データである。
【００３６】
このように、メモリ性液晶パネルを第２の表示制御方法を適用して駆動した場合には、一般的なアクティブマトリクス型の液晶パネルと同様に、表示装置１０の消費電力は増加するものの、高精細なカラー画像やカラーグラフィック、滑らかな動画やアニメーション画像のような、階調数が多く表現力の高い画像であって、画面表示の更新頻度や変化（動き）が多い画像を表示する場合に適している。
【００３７】
このように、本実施形態に適用される表示パネル３３０は、メモリ性液晶パネル特有の表示機能（第１の表示制御方法による画面表示）に加え、一般的なアクティブマトリクス型液晶パネルと同等の表示機能（第２の表示制御方法による画面表示）をも有している。このような２通りの表示制御方法を選択的に実行可能なメモリ性液晶パネルにおいては、少なくとも、各画素ＰＩＸが図２（ａ）に示した回路構成と、図２（ｂ）に示した回路構成の両方を備え、表示モードに応じていずれか一方を選択し、他方を切り離す（又は、機能させない）制御を行う選択手段を有している。
【００３８】
なお、図２（ａ）、（ｂ）においては、図示を簡略化したが、表示パネル３３０はカラー表示に対応しているため、メモリ性液晶パネルの各画素ＰＩＸは、Ｒ（赤）、Ｇ（緑）、Ｂ（青）の３色のサブ画素から構成され、ＲＧＢの各サブ画素は、例えば８ビット階調で駆動制御される。この場合、ドライバ回路３１０のフレームメモリ３１４に保存される、各画素ＰＩＸの画像データは、２４ビット（Ｒ：８ビット、Ｇ：８ビット、Ｂ：８ビット）で構成されている。
【００３９】
これにより、本実施形態においては、プロセッサ１００により生成された画像データに基づく画像を表示パネル３３０に表示することにより、比較的高い反射率で屋外視認性に優れたカラー画像等の高機能画像がユーザにより視認される。また、表示パネル３３０に表示される画像のデータ容量が小さい場合や、画面表示の更新頻度や変化（動き）が少ない状態では、当該表示状態に応じてプロセッサ１００及びプロセッサ２００が相互に連携して、プロセッサ２００により生成された画像データに基づく画像を表示部３００の所定の領域に表示することにより、比較的高い反射率で屋外視認性に優れたモノカラー画像やセグメント画像等の簡易な画像がユーザにより視認される。なお、表示部３００における画像の表示方法については、詳しく後述する。
【００４０】
そして、上述した各構成は、図１に示すように、電源部６００から供給される駆動電力によりそれぞれの機能を実現する。ここで、電源部６００は、装着型又は携帯型の電子機器においては、例えば市販のボタン型電池等の一次電池、リチウムイオン電池等の二次電池、あるいは、振動や光、熱、電磁波等のエネルギーにより発電する環境発電技術による電源等を、単独で、あるいは、併用して適用することができる。
【００４１】
なお、本実施形態においては、図１に示したように、プロセッサ１００とプロセッサ２００とを、別個の構成として図示したが、本発明はこの構成に限定されるものではない。プロセッサ１００とプロセッサ２００とは、例えば、システムオンチップ（System-on-a-chip；ＳＯＣ）の形態で、単一の半導体基板上に搭載されて一体化されたものであってもよい。この場合においても、それぞれのプロセッサ１００、２００と表示部３００とを接続して所定の信号を送受信するためのインターフェースＩ／Ｆ（Ａ）、Ｉ／Ｆ（Ｂ）が個別に設けられる。
【００４２】
また、本実施形態においては図示を省略したが、プロセッサ１００やプロセッサ２００には、表示装置１０を搭載した電子機器と、その外部に設けられた機器（以下、「外部機器」と記す）との間で、有線や無線を用いた所定の通信方式により、各種のデータや信号を送受信する通信インターフェース部（以下、「通信Ｉ／Ｆ部」と略記する）を備えるものであってもよい。ここで、（ハイパワー、ハイパフォーマンスの）プロセッサ１００に通信Ｉ／Ｆ部を設け、無線通信により外部機器（例えばスマートフォンやパーソナルコンピュータ等の高機能の情報処理装置）との間でデータ等を送受信する場合には、ブルートゥース（Bluetooth（登録商標））通信やワイファイ（Wi-Fi；wireless fidelity（登録商標））通信等の、比較的容量の大きいデータを高速で送受信することができる無線通信方式が適用される。一方、（ローパワー、ローパフォーマンスの）プロセッサ２００に通信Ｉ／Ｆ部を設け、無線通信により外部機器（例えば身体の他の部位に装着したセンサ機器）との間でデータ等を送受信する場合には、例えばブルートゥースローエナジー（Bluetooth（登録商標） low energy（BLE））通信等の、低消費電力の無線通信方式が適用される。
【００４３】
（表示装置の制御方法）
次に、本実施形態に係る表示装置の制御方法について説明する。ここでは、上述した表示装置１０を適用した電子機器を、ユーザが身体に装着又は携帯した状態で、ランニングやウォーキング等の運動や日常生活を行った場合に、各種の情報を表示パネルに表示して提供する際の制御方法について説明する。ここで、以下に示す一連の処理動作は、プロセッサ１００及びプロセッサ２００が相互に連携して所定のアルゴリズムプログラムを実行することにより実現される。また、本明細書においては、以下に示す表示装置の制御方法において、表示パネル３３０を用いて画像を表示させる各表示モード、及び、表示パネル３３０に画像を表示させない表示休止モードを含む表示装置の各種の動作状態を、「動作モード」と表記する。すなわち、以下に示す各表示モードは、本実施形態における動作モードの一形態を意味する。
【００４４】
図３は、本実施形態に係る表示装置の制御方法の一例を示すフローチャートであり、図４〜図６は、本実施形態に係る表示装置における表示形態を示す図である。ここでは、上述した表示装置の構成を適宜参照しながら説明する。
【００４５】
本実施形態に係る表示装置の制御方法においては、まず、ユーザが上述した入力操作部２２０を操作することにより電源部６００から駆動電力が供給されて表示装置１０が起動すると、例えば図３のフローチャートに示すように、プロセッサ１００及び２００において、初期状態で実行する機能やアプリケーション（ソフトウェア）が設定される。また同時に、表示装置１０における表示状態及び消費電力に関わる動作モードが初期設定される（ステップＳ１０２）。ここで、ステップＳ１０２において初期設定される動作モードは、プロセッサ１００及び２００において実行されるプログラムに予め設定（既定）されているものであってもよいし、ユーザが任意に設定するものであってもよい。
【００４６】
本実施形態においては、表示装置１０の動作モードとして、カラー画像等の高機能画像を表示する「高機能画像表示モード」（第１の表示モード）と、モノカラーやセグメント画像等の簡易な画像を表示する「簡易画像表示モード」（第２の表示モード）と、「合成画像表示モード」（第３の表示モード）と、が予め用意されていて、いずれかの動作モードが選択的に設定される。なお、これらの各表示モードの他に、表示装置１０の動作モードとして、表示パネル３３０に画像が表示されない非表示状態である「表示休止モード」を有しているものであってもよい。
【００４７】
次いで、プロセッサ１００及び２００は、ステップＳ１０２において初期設定された動作モードを判別し（ステップＳ１０４）、その結果に応じて、表示部３００における画像の表示形態を制御する。以下、各動作モードにおける画像の表示形態（表示パネル３３０における画面表示の例）及び処理動作について説明する。
【００４８】
（１）高機能画像表示モード
ステップＳ１０４において、表示装置１０が高機能画像表示モードに設定されていると判別された場合（ステップＳ１１２）には、プロセッサ１００により生成された表示パネル３３０の一画面分の画像データが、インターフェースＩ／Ｆ（Ａ）を介してドライバ回路３１０のインターフェース回路３１２の第１の受信ポートに送信されてフレームメモリ３１４に順次保存される。
【００４９】
ここで、表示パネル３３０は各画素ＰＩＸがＲＧＢの３色のサブ画素により構成されているので、高機能画像表示モードにおいて、プロセッサ１００により生成されてフレームメモリ３１４に保存される画像データは、各サブ画素が例えば８ビット階調で駆動制御される場合には、一画素ＰＩＸ当たり２４ビット（＝８ビット×３色）のデータ量を有することになる。
【００５０】
そして、フレームメモリ３１４に保存された画像データは、ＬＣＤコントローラ３１６により指定されたアドレスの画素ＰＩＸについてサブ画素単位で読み出され、所定のフレームレートで表示パネル３３０の当該画素ＰＩＸのサブ画素に画素データとして順次書き込まれる。これにより、表示パネル３３０に配列された各画素ＰＩＸのサブ画素ごとに画素データに応じた電圧が画素電極３４６に印加されて、例えば図４（ａ）、（ｈ）の上段に示すように、表示領域全域に階調数が多く表現力が豊かなカラー画像や動画等の高機能画像３３２が表示される。
【００５１】
このような高機能画像表示モードにおいては、図４（ａ）、（ｈ）の下段に示すように、プロセッサ１００が表示パネル３３０におけるカラー画像等の高機能表示を制御するとともに、プロセッサ２００における表示パネル３３０の表示に関連する機能が休止状態（スリープ状態）、又は、電源部６００からの駆動電力が遮断された状態（電源オフ状態）に移行する。すなわち、高機能画像表示モードにおいては、プロセッサ１００の全ての機能が動作を継続するとともに、プロセッサ２００において表示に関連する機能以外の、センサ部２１０や入力操作部２２０、出力部２３０の制御に関連する機能が休止することなく動作を継続している。このような表示装置１０における動作は、プロセッサ１００とプロセッサ２００とが連携通信部１５０、２５０を介して連携信号を送受信して相互に連携することにより実行される。
【００５２】
ここで、本実施形態において、休止状態（スリープ状態）とは、必要最小限の構成要素にのみ電力を供給するように制御された省電力状態のことであり、例えば電源制御と構成要素に関する公開された統一規格であるＡＣＰＩ（Advanced Configuration and Power Interface）で定めるスリーピングモードＳ０〜Ｓ５のうちＳ１やＳ３のスタンバイやスリープと呼ばれる状態のことである。なお、休止状態は、スタンバイモード、スリープモード、省電力状態等と呼ばれることもある。
【００５３】
これにより、高機能画像表示モードにおいては、表示パネル３３０に表示されたカラー画像等がユーザにより視認されるとともに、プロセッサ２００による電力の消費が抑制される。ここで、表示パネル３３０は、反射率が高く屋外視認性が高いパネル構造を有しているので、表示装置１０における消費電力を抑制しつつ、階調数が多く表現力が豊かなカラー画像や動画等を鮮明に表示することができる。なお、この高機能画像表示モードにおいて、表示パネル３３０に表示される高機能画像３３２が、静止画像や画面表示の更新頻度が少ない画像の場合には、メモリ性液晶パネルである表示パネル３３０が上述した第１の表示制御方法を適用して駆動される。一方、高機能画像３３２が、画面表示の更新頻度や変化（動き）が多い画像の場合には、表示パネル３３０が上述した第２の表示制御方法を適用して駆動される。
【００５４】
次いで、表示装置１０が高機能画像表示モードに設定されている状態において、プロセッサ１００又はプロセッサ２００により、動作モードを設定変更する事象（トリガー）が検出されたか否かが、常時又は所定のタイミングで監視される（ステップＳ１１６）。ここで、表示装置１０の動作モードを設定変更する事象とは、例えば、アプリケーションによる各画像の表示状態の設定や、ユーザによる入力操作部１２０、２２０の操作、センサ部２１０による特定の物理的、生体的、地理的な状態の検出、所定の状態（例えば、ユーザによる入力操作の終了）から予め設定した時間の経過（タイムアウト）、電源部６００における電池（バッテリ）残量の低下を検出した場合等を指す。
【００５５】
ステップＳ１１６において、動作モードを設定変更する事象が検出されない場合には、プロセッサ１００及び２００は高機能画像表示モードでの動作を継続する。一方、当該事象が検出された場合（図４（ｂ）に相当する）には、プロセッサ１００及び２００はステップＳ１０４に戻って、新たに設定された動作モードの判別結果に応じて、表示部３００における画像の表示形態を制御する。
【００５６】
このような高機能画像表示モードは、例えばスマートウォッチ等の電子機器において、ユーザが能動的にスマートウォッチ等のタッチパネルを操作する際に適用される。この場合、上述したように、処理能力の高いプロセッサ１００を使用しているので、ユーザの入力操作に対する表示装置１０の応答速度や操作性等を最適化してユーザの使い勝手を向上させることができる。
【００５７】
（２）簡易画像表示モード
上記ステップＳ１０４において、表示装置１０が簡易画像表示モードに設定されていると判別された場合（ステップＳ１２２）には、プロセッサ２００により生成された表示パネル３３０の一画面分、又は、特定の領域の画像データが、インターフェースＩ／Ｆ（Ｂ）を介してドライバ回路３１０のインターフェース回路３１２の第２の受信ポートに送信される。インターフェース回路３１２において受信した画像データは、フレームメモリ３１４に順次上書き保存された後、ＬＣＤコントローラ３１６により指定されたアドレスの画素ＰＩＸについてサブ画素単位で読み出され、表示パネル３３０の当該画素ＰＩＸのサブ画素に画素データとして順次書き込まれる。
【００５８】
あるいは、プロセッサ２００により生成され、表示パネル３３０の画素ＰＩＸ単位でインターフェースＩ／Ｆ（Ｂ）を介してドライバ回路３１０のインターフェース回路３１２の第２の受信ポートに順次送信された画像データは、ＬＣＤコントローラ３１６により各画素ＰＩＸのアドレスを指定して画素データとして直接書き込まれる。
【００５９】
ここで、簡易画像表示モードにおいて、プロセッサ２００により生成される画像データは、各画素ＰＩＸのＲＧＢ３色のサブ画素が例えば１ビット階調で駆動制御される場合には、一画素ＰＩＸ当たり３ビット（＝１ビット×３色）のデータ量を有することになる。なお、プロセッサ２００により生成される画像データは、サブ画素を１ビット階調で駆動制御する際のデータ量に限定されるものではなく、プロセッサ１００により生成される画像データのビット数よりも小さいビット数の階調（すなわち、高機能画像よりも少ない階調数）で駆動制御することができるデータ量を有するものであればよい。
【００６０】
これにより、表示パネル３３０に配列された各画素ＰＩＸのサブ画素ごとに画素データに応じた電圧が画素電極３４６に印加されて、例えば図４（ｃ）、（ｅ）の上段に示すように、表示パネル３３０の表示領域全域に時刻等を示す階調数が少なく表現力が低いモノカラー画像やセグメント画像等の簡易な画像３３４が表示される。この簡易な画像３３４が静止画像や画面表示の更新頻度が少ない画像、特定の表示領域においてのみ画像の書き換えが必要な画像である場合には、メモリ性液晶パネルである表示パネル３３０が上述した第１の表示制御方法を適用して駆動され、その表示制御方法の表示特性に基づいて、その画面表示が保持される。また、ＬＣＤコントローラ３１６により表示パネル３３０の特定の領域のアドレスが指定された場合には、例えば図４（ｄ）、（ｆ）の上段に示すように、表示パネル３３０の表示領域全域に表示された簡易な画像３３４のうち、上記アドレスが指定された特定の領域の簡易な画像３３６のみが書き換えられる。
【００６１】
具体的には、表示パネル３３０に表示される画像が、図４（ｃ）〜（ｆ）の上段に示すように、時刻を示す画像である場合、表示パネル３３０の表示領域全域の画像を書き換える場合には、プロセッサ２００により「時分秒」を含む表示パネル３３０の一画面分の画像データを生成する。そして、この画像データがドライバ回路３１０により画像の切り換わりタイミング、及び、例えば１分周期で表示パネル３３０に書き込まれることにより、表示領域全域の画像３３４が、図４（ｃ）、（ｅ）の上段に示すように、「１２：０５：１１」に切り換わり、以降「時分」が変化する１分ごとに「１２：０６：００」→・・のように順次書き換えられる（図中、プロセッサ２００の「全体領域表示」参照）。
【００６２】
また、表示パネル３３０に表示された「時分秒」の画像３３４のうち、１秒ごとに表示が変化する「秒」の画像を書き換える場合には、プロセッサ２００により「秒」を示す領域（特定領域）の画像データを生成する。そして、この画像データがドライバ回路３１０によりアドレスを指定して１秒周期で表示パネル３３０に書き込まれることにより、「秒」の画像３３６が、図４（ｄ）、（ｆ）の上段に示すように、１秒ごとに「１２」→「１３」→・・・→「５９」のように順次書き換えられる（図中、プロセッサ２００の「特定領域表示」参照）。ここで、「時分秒」の画像３３４のうち、１分ごとに表示が変化する「時分」の表示領域については、プロセッサ２００により生成された一画面分の画像データがドライバ回路３１０により１分周期で、メモリ性液晶パネルである表示パネル３３０に書き込まれて保持されるため、「時分」の画像は５９秒間変化しない。
【００６３】
このような簡易画像表示モードにおいては、図４（ｃ）〜（ｆ）の下段に示すように、プロセッサ２００がセンサ部２１０や入力操作部２２０、出力部２３０の制御に加え、表示パネル３３０における簡易な画像３３４、３３６の表示を制御するとともに、プロセッサ１００全体、又は、プロセッサ１００における表示パネル３３０の表示に関連する機能が休止状態、又は、電源オフ状態に移行する。すなわち、簡易画像表示モードにおいては、プロセッサ２００の全ての機能が動作を継続している。このような表示装置１０における動作は、プロセッサ１００とプロセッサ２００とが相互に連携することにより実行される。
【００６４】
これにより、簡易画像表示モードにおいては、表示パネル３３０に表示された簡易な画像がユーザにより視認されるとともに、プロセッサ１００による電力の消費が抑制される。ここで、上述したように、表示パネル３３０は、反射型のパネル構造を有しているので、表示装置１０における消費電力を抑制しつつ、時刻やアイコン等の、階調数が少なく表現力が低い簡易な画像を鮮明に表示することができる。
【００６５】
次いで、表示装置１０が簡易画像表示モードに設定されている状態において、プロセッサ２００により、動作モードを設定変更する事象が検出されたか否かが監視され（ステップＳ１２６）、当該事象が検出されない場合には、プロセッサ２００は簡易画像表示モードでの動作を継続する。一方、当該事象が検出された場合には、プロセッサ２００はステップＳ１０４に戻って、新たに設定された動作モードの判別結果に応じて、表示部３００における画像の表示形態を制御する。ここで、簡易画像表示モードにおいては、プロセッサ１００が休止状態に設定されているが、表示パネル３３０の表示に関連する機能のみを休止させることにより、表示装置１０の動作モードを設定変更する事象として、ユーザによるタッチパネル等の入力操作部１２０の操作を含むことができる。
【００６６】
このような簡易画像表示モードは、例えばユーザがスマートウォッチ等のタッチパネルを操作していない状態で、時刻やセンサによる計測値等の情報を確認するために画面表示を一寸見るような場合に適用される。この場合、上述したように、処理能力の高いプロセッサ１００を休止して、処理能力の低いプロセッサ２００を使用しているので、表示装置１０の消費電力を大幅に抑制して電子機器の駆動時間を長くすることができる。
【００６７】
（３）合成画像表示モード
上記ステップＳ１０４において、表示装置１０が合成画像表示モードに設定されていると判別された場合（ステップＳ１３２）には、プロセッサ１００により生成された表示パネル３３０の一画面分の画像データが、インターフェースＩ／Ｆ（Ａ）を介してドライバ回路３１０のインターフェース回路３１２の第１の受信ポートに送信される。また、合成画像表示モードにおいては、プロセッサ２００により生成された表示パネル３３０の特定の領域の画像データが、インターフェースＩ／Ｆ（Ｂ）を介してドライバ回路３１０のインターフェース回路３１２の第２の受信ポートに送信される。インターフェース回路３１２において受信した画像データは、フレームメモリ３１４に順次上書き保存された後、ＬＣＤコントローラ３１６により指定されたアドレスの画素ＰＩＸについてサブ画素単位で読み出され、表示パネル３３０の当該画素ＰＩＸのサブ画素に画素データとして順次書き込まれる。
【００６８】
あるいは、プロセッサ２００により生成され、表示パネル３３０の画素ＰＩＸ単位でインターフェースＩ／Ｆ（Ｂ）を介してドライバ回路３１０のインターフェース回路３１２に順次送信された画像データは、ＬＣＤコントローラ３１６により各画素ＰＩＸのアドレスを指定して画素データとして直接書き込まれる。
【００６９】
これにより、表示パネル３３０に配列された各画素ＰＩＸのサブ画素ごとに画素データに応じた電圧が画素電極３４６に印加されて、例えば図５（ｃ）、（ｅ）の上段に示すように、プロセッサ１００により生成された画像データに基づいて、表示パネル３３０の表示領域全域に時刻等を示す階調数が少なく表現力が低いモノカラー画像やセグメント画像等の簡易な画像３３４が表示される。この画像３３４が静止画像や画面表示の更新頻度が少ない画像、特定の表示領域においてのみ画像の書き換えが必要な画像である場合には、メモリ性液晶パネルである表示パネル３３０が上述した第１の表示制御方法を適用して駆動され、その表示制御方法の表示特性に基づいて、その画面表示が保持される。また、ＬＣＤコントローラ３１６により表示パネル３３０の特定の領域のアドレスが指定された場合には、例えば図５（ｄ）、（ｆ）の上段に示すように、プロセッサ２００により生成された画像データに基づいて、表示パネル３３０の表示領域全域に表示された簡易な画像３３４のうち、上記アドレスが指定された特定の領域の簡易な画像３３６のみが書き換えられる。すなわち、表示パネル３３０に、一画面分の画像３３４と特定の領域の簡易な画像３３６とが組み合わされた合成画像（第３の画像）が表示される。
【００７０】
具体的には、図５（ｃ）、（ｅ）の上段に示すように、表示パネル３３０の表示領域全域の画像を書き換える場合には、プロセッサ１００により「時分秒」を含む表示パネル３３０の一画面分の画像データを生成し、この画像データがドライバ回路３１０により画像の切り換わりタイミング、及び、例えば１分周期で表示パネル３３０に書き込まれることにより、表示領域全域の画像３３４が、「１２：０５：１１」に切り換わり、以降「時分」が変化する１分ごとに「１２：０６：００」→・・のように順次書き換えられる（図中、プロセッサ１００の「全体領域表示」参照）。
【００７１】
また、表示パネル３３０に表示された「時分秒」の画像３３４のうち、「秒」の画像を書き換える場合には、プロセッサ２００により「秒」を示す領域（特定領域）の画像データを生成する。そして、この画像データがドライバ回路３１０によりアドレスを指定して１秒周期で表示パネル３３０に書き込まれることにより、「時分秒」の画像３３４のうち、「秒」の画像３３６が、図５（ｄ）、（ｆ）の上段に示すように、１秒ごとに順次書き換えられる（図中、プロセッサ２００の「特定領域表示」参照）。
【００７２】
このような合成画像表示モードにおいては、図５（ｃ）〜（ｆ）の下段に示すように、表示装置１０が全体領域表示の期間中は、プロセッサ１００が表示パネル３３０における簡易な画像３３４の表示を制御するとともに、プロセッサ２００における表示パネル３３０の表示に関連する機能が一時停止又は中断する。すなわち、全体領域表示の期間中は、プロセッサ２００の表示パネル４３０の表示に関連する機能のみが一時停止し、それ以外の機能が休止することなく動作を継続している。また、表示装置１０が特定領域表示の期間中は、プロセッサ２００が表示パネル３３０における簡易な画像３３６の表示を制御するとともに、プロセッサ１００全体、又は、プロセッサ１００における表示パネル３３０の表示に関連する機能が休止状態、又は、電源オフ状態に移行する。このような表示装置１０における動作は、プロセッサ１００とプロセッサ２００とが相互に連携することにより実行される。
【００７３】
これにより、合成画像表示モードにおいては、画面表示の更新頻度や変化（動き）の少ない一画面分の画像３３４と、画面表示の更新頻度や変化（動き）の多い特定の領域の簡易な画像３３６とが組み合わされた合成画像が、表示パネル３３０に表示されてユーザにより視認されるとともに、プロセッサ１００及び２００のいずれか一方を休止状態又は一時停止状態に設定しているので、表示装置１０の消費電力が抑制される。ここで、上述したように、表示パネル３３０は、反射型のパネル構造を有しているので、表示装置１０における消費電力を抑制しつつ、時刻やアイコン等の、階調数が少なく表現力が低い簡易な合成画像を鮮明に表示することができる。
【００７４】
次いで、表示装置１０が合成画像表示モードに設定されている状態において、プロセッサ１００又は２００により、動作モードを設定変更する事象が検出されたか否かが監視され（ステップＳ１３６）、当該事象が検出されない場合には、プロセッサ１００及び２００は合成画像表示モードでの動作を継続する。一方、当該事象が検出された場合には、プロセッサ１００及び２００はステップＳ１０４に戻って、新たに設定された動作モードの判別結果に応じて、表示部３００における画像の表示形態を制御する。ここで、合成画像表示モードにおいては、特定領域表示の期間中はプロセッサ１００が休止状態に設定されているが、表示パネル３３０の表示に関連する機能のみを休止させることにより、表示装置１０の動作モードを設定変更する事象として、ユーザによるタッチパネル等の入力操作部１２０の操作を含むことができる。
【００７５】
このような合成画像表示モードは、上述した簡易画像表示モードと同様に、例えばユーザがスマートウォッチ等のタッチパネルを操作していない状態で、時刻やセンサによる計測値等の情報を確認するために画面表示を一寸見るような場合に適用される。この場合においても、処理能力の高いプロセッサ１００を極力休止させて、処理能力の低いプロセッサ２００を主に使用しているので、表示装置１０の消費電力を抑制して電子機器の駆動時間を長くすることができる。
【００７６】
なお、本実施形態においては、簡易画像表示モード及び合成画像表示モードにおける画面表示の例として、図４及び図５に示したように、いわゆるデジタル時計の時分秒表示を含む一画面分の画像３３４を表示パネル３３０に表示し、当該画像３３４のうちの、秒表示を行う特定領域の画像３３６を書き換える場合について説明したが、本発明はこれに限るものではない。
【００７７】
本発明に係る画面表示の他の例は、例えば図６（ａ）に示すように、上述した簡易画像表示モード及び合成画像表示モードにおいて、表示パネル３３０に、アナログ時計の時分秒針（Ｈｈ、Ｈｍ、Ｈｓ）の表示を含む一画面分の画像３３４を１分ごとに表示し、当該画像３３４のうちの、秒針Ｈｓを表示する特定領域の画像３３６を１秒ごとに書き換えるものであってもよい。この場合においても、時分秒針（Ｈｈ、Ｈｍ、Ｈｓ）を示す一画面分の画像３３４は、プロセッサ１００又は２００により生成した画像データに基づいて表示され、秒針Ｈｓを示す特定領域の画像３３６は、プロセッサ２００により生成した画像データに基づいて表示される。ここで、秒針Ｈｓを示す特定領域の画像３３６は、表示パネル３３０の表示領域に対して移動又は変化する領域となる。
【００７８】
すなわち、本発明において簡易な画像が表示される特定領域は、表示パネル３３０の表示領域内の固定された領域であってもよいし、位置が随時変化する領域であってもよい。また、特定領域の大きさについても、表示パネル３３０の表示領域全域に比較して十分狭い領域である場合に限るものではない。本発明に適用される特定領域は、処理能力の低いプロセッサ２００により生成した画像データを、データ転送速度の遅いインターフェースＩ／Ｆ（Ｂ）を介してドライバ回路３１０に送信して表示パネル３３０に画像を表示した場合に、ユーザに当該画像の乱れや途切れを生じることなく良好に視認される程度の大きさの表示領域を有するものであればよい。
【００７９】
また、本発明に係る画面表示のさらに他の例は、例えば図６（ｂ）、（ｃ）に示すように、上述した合成画像表示モードにおいて、まず、プロセッサ１００により生成した画像データに基づいて、表示パネル３３０にカラーの地図画像や報知画像等の一画面分の高機能画像３３２を表示する。この高機能画像３３２が静止画像や画面表示の更新頻度が少ない画像、特定の表示領域においてのみ画像の書き換えが必要な画像である場合には、表示パネル３３０が上述した第１の表示制御方法を適用して駆動され、その表示制御方法の表示特性に基づいて、その画面表示が保持される。そして、高機能画像３３２の画面表示の更新頻度や変化（動き）の少ない状態では、プロセッサ２００により生成した画像データに基づいて、当該高機能画像３３２のうちの特定の領域に表示される、データ容量が小さく、かつ、継続して書き換えや変化を伴う（すなわち、更新頻度が高い）文字や図形、マーク等の画像３３６、３３８を順次書き換える。ここで、特定領域に表示される画像３３６、３３８は、例えば移動距離やペース等を示す文字や数値、天気情報や動作状態等を示すマーク等が適用される。
【００８０】
上述したように、本実施形態においては、図３のフローチャートに示した一連の処理動作が繰り返し実行される。これによれば、例えば、次のような表示装置の動作仕様を実現することができる。すなわち、ユーザが表示装置１０を搭載した電子機器を起動させて、例えば入力操作部１２０、２２０のタッチパネルやボタンスイッチ等を操作している状態、又は、ユーザによる入力操作が検出されている状態では、アプリケーションにより動作モードが高機能画像表示モードに設定される。これにより、表示パネル３３０に表示されたカラー画像や動画等の高機能画像がユーザにより視認される。ここで、高機能画像表示モードにおいては、プロセッサ２００における表示機能が休止状態（スリープ状態）又は電源オフ状態に設定される。
【００８１】
そして、ユーザがタッチパネルやボタンスイッチ等の操作を終えた場合、あるいは、ユーザによる入力操作が検出されなくなった場合には、所定の時間（例えば３０秒）が経過した後、アプリケーションにより動作モードが簡易画像表示モードや合成画像表示モードに設定変更される。これにより、表示パネル３３０に表示された簡易な画像がユーザにより視認される。この簡易画像表示モードや合成画像表示モードにおいては、プロセッサ１００全体、又は、プロセッサ１００の表示機能が一定期間継続して休止状態又は電源オフ状態に設定される。
【００８２】
なお、本実施形態においては、上述した一連の処理動作の実行中に、プロセッサ１００及び２００が、処理動作を中断又は終了させる入力操作や動作状態の変化を常時監視して、当該入力操作や状態変化を検出した場合には、処理動作を強制的に終了する。具体的には、プロセッサ１００及び２００は、ユーザによる電源オフ操作や、電源部６００における電池残量の低下、実行中の機能やアプリケーションの異常の発生等を検出して、一連の処理動作を強制的に中断して終了する。
【００８３】
（作用効果の検証）
次に、本実施形態に係る表示モジュールを備えた表示装置及びその制御方法における作用効果について、比較例を示して具体的に説明する。ここでは、一般的な携帯型の電子機器（スマートウォッチやスマートフォン等）に適用されている表示装置を比較例として示す。
【００８４】
図７は、本実施形態の作用効果を説明するための比較例を示す概略ブロック図であり、図８は、比較例における画面表示の例を示す図である。ここでは、本実施形態と比較例との構成や制御方法の比較を明瞭にするために、本実施形態と同等の構成については同等の符号を付して説明する。
【００８５】
比較例における表示装置は、例えば図７に示すように、大別して、プロセッサ１００Ｐと、表示部３００Ｐと、を有し、表示部３００Ｐは、表示パネル３３０Ｐと、ドライバ回路３１０Ｐとを備えている。ここで、表示パネル３３０Ｐが透過型のパネル構造を有する場合には、背面側にはバックライト（光源部）が配置されている。ドライバ回路３１０Ｐは、上述した実施形態と同様に、インターフェース回路３１２Ｐと、フレームメモリ３１４Ｐと、ＬＣＤコントローラ３１６Ｐと、走査ドライバ３１８Ｐと、データドライバ３２０Ｐと、を備えている。
【００８６】
このような表示装置においては、上述した本実施形態と同様に、アプリケーションの設定やユーザによる入力操作に応じてプロセッサ１００Ｐにより生成された画像データを、ドライバ回路３１０Ｐのフレームメモリ３１４Ｐに書き込むことにより、表示パネル３３０Ｐの表示領域全域に所定の画像が表示される。そして、表示パネル３３０Ｐが透過型の場合には、背面側から光を照射することにより、また、表示パネル３３０Ｐが反射型の場合には、視野側から入射した外光が反射することにより、表示パネル３３０Ｐに表示された画像がユーザにより視認される。
【００８７】
ここで、表示パネル３３０Ｐに、上述したような高精細なカラー画像や滑らかな動画等の高機能画像を表示するためには、プロセッサ１００Ｐとして、処理能力が高く、かつ、消費電力が高い演算回路（ハイパワー、ハイパフォーマンスのプロセッサ）を適用する必要がある。加えて、プロセッサ１００Ｐとドライバ回路３１０Ｐとを、例えばＭＩＰＩやパラレルインターフェース等の、データ転送速度が比較的速い規格に対応したインターフェースＩ／Ｆ（Ｐ）を介して接続する必要がある。また、表示パネル３３０Ｐとして、高精細なカラー画像や動画等の表示に対応した、高い表示性能を有する表示パネルを適用する必要がある。
【００８８】
このような表示装置においては、表示パネル３３０Ｐに簡易な画像を表示する場合であっても、例えば図８（ａ）に示すように、時刻表示等の頻繁に書き換えや変化を伴う画像（例えば図中の秒表示）を含んでいる場合には、プロセッサ１００Ｐにより頻繁に表示パネル３３０Ｐの表示領域全域の画像データを生成し、インターフェースＩ／Ｆ（Ｐ）を介してドライバ回路３１０Ｐに書き込む動作を繰り返す必要がある。一方、例えば図８（ｂ）、（ｃ）に示すように、表示パネル３３０Ｐにカラー画像や動画等の高機能画像を表示する場合には、その画像の書き換えや変化に応じてプロセッサ１００Ｐにより画像データが随時生成されて、インターフェースＩ／Ｆ（Ｐ）を介してドライバ回路３１０Ｐに書き込まれる。そのため、プロセッサ１００Ｐを常時動作させておく必要があり、省電力状態や休止状態に移行させることができない。なお、図８（ａ）〜（ｃ）は、上述した本実施形態（図３〜図６参照）と同様に、アプリケーションの設定やユーザによる入力操作等により表示モードが切り換わった場合に、表示パネル３３０Ｐに表示される各モードの画面表示の例（簡易な画像、カラー画像）を示すものである。
【００８９】
このように、比較例の表示装置においては、処理能力の高いプロセッサ１００Ｐ単体で、表示部３００Ｐにおける全ての表示モードの画面表示を制御しているため、処理負担が大きく、特に、頻繁に書き換えや変化を伴う画像を表示する場合には、プロセッサ１００Ｐを頻繁に動作させることになるため、消費電力が増加する。また、表示パネル３３０Ｐに簡易な画像を表示する場合であっても、処理能力の高いプロセッサ１００Ｐや表示性能の高い表示パネル３３０Ｐを使用する必要があるため、プロセッサ１００Ｐの処理能力や表示パネル３３０Ｐの表示性能が余剰状態になり、表示部３００Ｐの性能を有効に利用することができない。
【００９０】
これに対して、本実施形態においては、処理能力の異なる２つのプロセッサ１００、２００を備え、各々が個別のインターフェースＩ／Ｆ（Ａ）、Ｉ／Ｆ（Ｂ）を介して表示部３００のドライバ回路３１０に接続されている。また、ドライバ回路３１０は、フレームメモリ３１４を内蔵し、プロセッサ１００、２００から個別に書き込まれる画像データを順次上書きするように構成されている。加えて、表示パネル３３０は、メモリ性液晶パネルであって上述した第１の表示制御方法を適用して駆動することにより、プロセッサ１００、２００により生成された画像データに基づいて、画素ごとに書き込まれた画素データを保持することにより画面表示が保持される。
【００９１】
そして、プロセッサ１００及び２００が相互に連携することにより、動作モードに応じてプロセッサ１００及び２００を使い分けて、表示パネル３３０における画像の表示形態が制御される。すなわち、上述したように、表示パネル３３０にカラー画像や動画等を表示する高機能画像表示モードにおいては、プロセッサ１００を動作させるとともに、プロセッサ２００の表示機能を休止させる。一方、表示パネル３３０に時刻やアイコン等の簡易な画像を表示する簡易画像表示モードにおいては、プロセッサ２００を動作させるとともに、プロセッサ１００を休止させる。さらに、画面表示の更新頻度や変化（動き）の少ない画像と多い画像とを組み合わせて表示する合成画像表示モードにおいては、プロセッサ１００及び２００の両方を動作させる。
【００９２】
これにより、本実施形態においては、表示パネル３３０としてメモリ性液晶パネルを適用し、動作モードに応じて異なる処理能力を有するプロセッサ１００及び２００を使い分けて、高機能画像や簡易な画像、更新頻度の異なる多様な画像の組み合わせからなる合成画像の表示を制御することにより、ユーザの操作性を損なうことなく、適切な処理能力のプロセッサを用いて各種の情報を多様な表示形態で提供することができる。また、この場合、プロセッサ１００及び２００のいずれか一方を実質的に休止状態に移行させることができるので、表示装置１０の消費電力を抑制することができ、電子機器の駆動時間を改善することができる。
【００９３】
＜第２の実施形態＞
次に、本発明に係る表示装置の第２の実施形態について、図面を参照して詳しく説明する。
【００９４】
図９は、本発明に係る表示装置の第２の実施形態を示す概略ブロック図である。図１０は、本実施形態に係る表示装置の制御方法の一例を示すフローチャートであり、図１１は、本実施形態に係る表示装置における表示形態を示す図である。ここで、上述した第１の実施形態と同等の構成及び制御方法については、同等の符号を付してその説明を簡略化する。
【００９５】
（表示装置）
第１の実施形態においては、メモリ性液晶パネルを適用した唯一の表示パネル３３０に、複数のプロセッサ１００及び２００により生成された画像データに基づく画像を、多様な表示形態で表示する構成について説明した。第２の実施形態においては、表示部３００に表示性能の異なる複数（ここでは２つ）の表示パネルが設けられ、プロセッサ１００により表示パネル３３０の表示状態を制御し、プロセッサ２００により複数の表示パネルの表示状態を制御することにより、プロセッサ１００及び２００により生成された画像データに基づく画像を、多様な表示形態で表示することを特徴としている。
【００９６】
第２の実施形態に係る表示装置１０は、例えば図９に示すように、概略、処理能力が異なる２組のプロセッサ１００及びプロセッサ２００と、メモリ性液晶パネルが適用された表示パネル３３０を備えた表示部３００と、表示パネル４３０を備えた表示部４００と、を有している。プロセッサ１００は、上述した第１の実施形態と同様に、例えばＭＩＰＩ等のデータ転送速度が比較的速いインターフェースＩ／Ｆ（Ａ）を介して、表示部３００のインターフェース回路３１２の第１の受信ポートに接続されている。また、プロセッサ２００は、上述した第１の実施形態と同様に、例えばＳＰＩ等のデータ転送速度が比較的遅いインターフェースＩ／Ｆ（Ｂ）を介して、表示部３００のインターフェース回路３１２の第２の受信ポートに接続されているとともに、例えばＳＰＩ等のインターフェースＩ／Ｆ（Ｃ）を介して、表示部４００のインターフェース回路４１２にも個別に接続されている。ここで、プロセッサ２００により生成された画像データは、表示装置１０の動作モードに応じて、表示部３００又は４００のいずれか一方に選択的に送信されるように制御される。
【００９７】
表示部４００は、図９に示すように、ドライバ回路（又は、ドライバＩＣ；第２のドライバ回路）４１０と、表示パネル４３０と、を有している。ドライバ回路４１０は、上述した第１の実施形態と同様に、インターフェース回路４１２と、画像メモリ（図中、「メモリ」と略記）４１４と、ＬＣＤコントローラ（図中、「コントローラ」と略記）４１６と、コモンドライバ４１８と、セグメントドライバ４２０と、を備えている。
【００９８】
インターフェース回路４１２は、プロセッサ２００から画像データを含む所定の信号を受信するための受信ポートを有し、上述したように、ＳＰＩ等のデータ転送速度が比較的遅いインターフェースＩ／Ｆ（Ｃ）を介してプロセッサ２００に接続されている。画像メモリ４１４は、プロセッサ２００により生成され、上記のインターフェース回路４１２を介して送信された画像データを保存する。ＬＣＤコントローラ４１６は、画像メモリ４１４に保存された画像データをアドレスごとに読み出し、コモンドライバ４１８及びセグメントドライバ４２０を制御して、表示パネル４３０の一画面単位で、又は、表示パネル４３０の特定の領域に表示させる。ここで、表示パネル４３０がモノクロのセグメント画像を表示するセグメント液晶パネルである場合には、画像メモリ４１４は、各セグメントを表示（オン）、非表示（オフ）させるための１ビット分のデータを保持する保持回路としての機能を有している。
【００９９】
表示パネル４３０は、例えば比較的高い反射率で屋外視認性に優れる反射型でのモノクロ表示が可能で、かつ、半透過表示や全透過表示も可能な、ＰＮ（Polymer Network）型やＰＤ（Polymer Dispersed）型の液晶パネルを適用することができ、プロセッサ２００において生成された画像データに基づくモノカラーやモノクロ画像、セグメント画像等が、ドライバ回路４１０により簡易な表示形態で表示される。これにより、プロセッサ２００により生成された画像データに基づく画像を表示パネル４３０に表示することにより、比較的高い反射率で屋外視認性に優れたモノクロ画像やセグメント画像等の簡易な画像がユーザにより視認される。
【０１００】
また、本実施形態においては、表示パネル４３０は、表示部３００の表示パネル３３０の視野側に配置され、かつ、表示パネル４３０の表示領域と表示パネル３３０の表示領域とが平面視して重なるように配置されている。したがって、後述するように、表示パネル４３０にモノクロ画像やセグメント画像等の簡易な画像を表示させつつ、第１の実施形態に示したように、表示部３００の表示パネル３３０にカラー画像等の高機能画像を表示することにより、表示パネル３３０の高機能画像と、表示パネル４３０の簡易な画像とを重ね合わせた画像（以下、便宜的に「重合画像」と記す）がユーザにより視認される。なお、本実施形態において表示部３００、４００により実現される表示形態については詳しく後述する。
【０１０１】
（表示装置の制御方法）
本実施形態に係る表示装置における制御方法は、例えば図１０のフローチャートに示すように、表示装置１０の動作モードとして、上述した第１の実施形態に示した、高機能画像表示モードと簡易画像表示モードと合成画像表示モードとの各動作モードに加え、「重合画像表示モード」（第４の表示モード）が予め用意されていて、動作モードの判別結果に応じて、いずれかの動作モードが設定される。
【０１０２】
本実施形態における高機能画像表示モード（ステップＳ１１２）においては、図１１（ａ）の下段に示すように、上述した第１の実施形態と同様に、プロセッサ１００により生成された画像データが表示部３００のドライバ回路３１０に送信されることにより、表示パネル３３０に高機能画像３３２が表示される（ステップＳ１１４）。また、プロセッサ１００及び２００が相互に連携することにより、プロセッサ２００から表示部３００又は４００への画像データの送信が停止されるとともに、図１１（ａ）の中段に示すように、プロセッサ２００により視野側に配置された表示パネル４３０が透過状態に制御される。ここで、表示パネル４３０として、上述したように、例えばＰＮ型の液晶パネルを適用した場合には、透過状態を実現するためには、表示パネル４３０に所定の電圧を印加する必要があるが、この場合、表示パネル４３０は画像が表示されない非表示状態に設定されているため、表示パネル４３０に画像を表示させる場合に比較して、プロセッサ２００の処理負担は軽減される。これにより、図１１（ａ）の上段に示すように、視野側の表示パネル４３０を透過して、背面側の表示パネル３３０に表示された高機能画像３３２がユーザにより視認される。
【０１０３】
また、簡易画像表示モード（ステップＳ１２２）においては、図１１（ｂ）の下段に示すように、上述した第１の実施形態と同様に、プロセッサ２００により生成された画像データが表示部３００のドライバ回路３１０に送信されることにより、表示パネル３３０に簡易な画像３３４が表示される（ステップＳ１２４）。また、プロセッサ１００及び２００が相互に連携することにより、プロセッサ１００全体、又は、プロセッサ１００における表示機能が休止状態に設定されて、プロセッサ１００から表示部３００への画像データの送信が停止される。また、このとき、図１１（ｂ）の中段に示すように、視野側に配置された表示パネル４３０は、プロセッサ２００により画像が表示されない非表示状態に設定されるとともに、透過状態に設定される。これにより、図１１（ｂ）の上段に示すように、視野側の表示パネル４３０を透過して、背面側の表示パネル３３０に表示された簡易な画像３３４がユーザにより視認される。
【０１０４】
なお、本実施形態に係る表示装置１０においては、簡易画像表示モードとして、次のような表示形態を適用することができる。すなわち、図１１（ｃ）の中段に示すように、プロセッサ２００により生成された画像データが表示部４００のドライバ回路４１０に送信されることにより、表示パネル４３０に簡易な画像４３４が表示される。また、プロセッサ１００及び２００が相互に連携することによりプロセッサ１００全体、又は、プロセッサ１００における表示機能が休止状態に設定されて、プロセッサ１００から表示部３００への画像データの送信が停止されて、図１１（ｃ）の下段に示すように、背面側に配置された表示パネル３３０は画像が表示されない非表示状態に設定される。これにより、図１１（ｃ）の上段に示すように、視野側の表示パネル４３０に表示された簡易な画像３３４がユーザにより視認される。
【０１０５】
また、合成画像表示モード（ステップＳ１３２）においては、図１１（ｄ）の下段に示すように、上述した第１の実施形態と同様に、プロセッサ１００により生成された画像データが表示部３００のドライバ回路３１０に送信されることにより、表示パネル３３０に一画面分の高機能画像３３２が表示される。そして、この状態で、プロセッサ２００により生成された画像データが表示部３００のドライバ回路３１０に送信されることにより、表示パネル３３０の特定領域に簡易な画像３３６、３３８が表示される（ステップＳ１３４）。ここで、表示パネル３３０に表示された高機能画像３３２の書き換えや変化がない状態では、メモリ性液晶パネルである表示パネル３３０を上述した第１の表示制御方法で駆動する際の表示特性に基づいて、その画面表示が保持されるので、プロセッサ１００及び２００が相互に連携することにより、プロセッサ１００全体、又は、プロセッサ１００における表示機能が休止状態に設定されて、プロセッサ１００から表示部３００への画像データの送信が停止される。また、表示パネル３３０のうちの特定領域の画素ＰＩＸに対して、プロセッサ２００によりアドレスを指定して画素データを書き込むことにより、当該特定領域に表示された簡易な画像３３６、３３８が書き換えられる。また、このとき、図１１（ｄ）の中段に示すように、視野側に配置された表示パネル４３０は、プロセッサ２００により画像が表示されない非表示状態に設定されるとともに、透過状態に設定される。これにより、図１１（ｄ）の上段に示すように、視野側の表示パネル４３０を透過して、背面側の表示パネル３３０に表示された高機能画像３３２と簡易な画像３３６、３３８とが組み合わされた合成画像がユーザにより視認される。
【０１０６】
そして、重合画像表示モード（ステップＳ１４２）においては、図１１（ｅ）の下段に示すように、プロセッサ１００により生成された画像データが表示部３００のドライバ回路３１０に送信されることにより、表示パネル３３０に一画面分の高機能画像３３２が表示される。また、図１１（ｅ）の中段に示すように、プロセッサ２００により生成された画像データが表示部４００のドライバ回路４１０に送信されることにより、表示パネル４３０の特定領域に簡易な画像４３４が表示される（ステップＳ１４４）。ここで、表示パネル３３０に表示された高機能画像３３２の書き換えや変化がない状態では、上述した合成画像表示モードと同様に、第１の表示制御方法における表示特性に基づいて、その画面表示が保持されるので、プロセッサ１００及び２００が相互に連携することにより、プロセッサ１００全体、又は、プロセッサ１００における表示機能が休止状態に設定されて、プロセッサ１００から表示部３００への画像データの送信が停止される。また、表示パネル４３０のうちの特定領域の画素ＰＩＸに対して、プロセッサ２００によりアドレスを指定して画素データを書き込むことにより、当該特定領域に表示された簡易な画像４３４が書き換えられる。これにより、図１１（ｅ）の上段に示すように、視野側の表示パネル４３０に表示された簡易な画像４３４と、背面側の表示パネル３３０に表示された高機能画像３３２とが重ね合わされた重合画像がユーザにより視認される。
【０１０７】
次いで、図１０のフローチャートのステップＳ１４６に示すように、プロセッサ１００又は２００により、動作モードを設定変更する事象が検出されるまで、上記の重合画像表示モードでの動作を継続し、当該事象が検出された場合には、ステップＳ１０４に戻って、新たに設定された動作モードの判別結果に応じて、表示部３００、４００における画像の表示形態を制御する。
【０１０８】
このように、本実施形態においては、メモリ性液晶パネルである表示パネル３３０の視野側に、プロセッサ２００により生成される画像データに基づく簡易な画像が表示される表示パネル４３０を配置している。そして、動作モードに応じて異なる処理能力を有するプロセッサ１００、２００や、異なる表示性能を有する表示パネル３３０、４３０を使い分けて、高機能画像や簡易な画像、合成画像、更新頻度の異なる多様な画像の重ね合わせからなる重合画像の表示を制御する。これにより、ユーザの操作性を損なうことなく、適切な処理能力のプロセッサや表示性能の表示パネルを用いて各種の情報をより多様な表示形態で提供することができる。また、この場合においても、プロセッサ１００及び２００のいずれか一方を実質的に休止状態に移行させることができるので、表示装置１０の消費電力を抑制することができ、電子機器の駆動時間を改善することができる。
【０１０９】
（変形例）
次に、上述した各実施形態における変形例について説明する。
図１２は、上述した各実施形態における変形例を示す概略ブロック図である。ここでは、上述した各実施形態と同等の構成については、同等の符号を付してその表記を簡略化して示す。
【０１１０】
上述した各実施形態においては、表示パネル３３０として反射型のメモリ性液晶パネルを適用し、視野側から入射した外光が反射することにより、表示パネル３３０や４３０に表示された画像がユーザにより視認される場合について説明したが、本発明はこれに限定されるものではない。すなわち、反射型のパネル構造を有する表示パネル３３０においては、屋外等の比較的明るい環境下ではユーザが画像を良好に視認することができるが、暗い環境下では画面表示の視認が困難な場合がある。
【０１１１】
そこで、表示装置１０は、例えば図１２（ａ）、（ｂ）に示すように、表示パネル３３０のフロントライトやエッジライトとなる光源部５００を備えた構成を適用することができる。この光源部５００は、プロセッサ１００や２００においてユーザによる入力操作部１２０や２２０の操作を検出することにより発光状態が制御される。これによれば、暗い環境下であってもユーザが光源部５００のフロントライトやエッジライトを点灯させることにより、表示パネル３３０や４３０に表示された画像を良好に視認することができる。
【０１１２】
ここで、上述したように、本発明に係る表示装置においては、動作モードに応じてプロセッサ１００が休止状態に設定されている場合があるので、動作モードに関わらず、表示機能以外の機能を常時動作させておくことができるプロセッサ２００により、光源部５００の発光状態を制御することが好ましい。これによれば、プロセッサ１００における処理負担を軽減することができるとともに、休止状態における消費電力をさらに抑制することができる。
【０１１３】
また、上述した各実施形態においては、表示パネル３３０として反射型のメモリ性液晶パネルを適用した場合について説明したが、本発明はこれに限定されるものではない。すなわち、表示パネル３３０として透過型のメモリ性液晶パネルを適用し、さらに、その背面側にバックライトとなる光源部５００を配置した構成を適用することができる。この場合の表示装置１０は図１２（ａ）、（ｂ）と同等の構成を有し、光源部５００は、表示装置１０の動作モードに応じてプロセッサ１００又は２００により発光状態が制御される。ここで、プロセッサ１００により表示パネル３３０に画像が表示されている状態では、光源部５００はプロセッサ１００により制御され、プロセッサ１００が休止状態に設定されている状態では、光源部５００はプロセッサ２００により制御される。このような光源部５００の制御は、プロセッサ１００とプロセッサ２００とが相互に連携することにより実行される。これによれば、表示パネル３３０や４３０に高機能画像や簡易な画像を表示した状態で、光源部５００のバックライトを点灯することにより、ユーザは高輝度で鮮明な画像を視認することができる。
【０１１４】
また、上述した各実施形態においては、処理能力が高いプロセッサ１００と表示部３００とがデータ転送速度が速いインターフェースＩ／Ｆ（Ａ）を介して接続され、相対的に処理能力が低いプロセッサ２００と表示部３００とがデータ転送速度が遅いインターフェースＩ／Ｆ（Ｂ）を介して接続された構成を示したが、本発明はこれに限定されるものではない。例えば、プロセッサ１００とプロセッサ２００とが同等の処理性能を有し、インターフェースＩ／Ｆ（Ａ）とＩ／Ｆ（Ｂ）とが同等のデータ転送速度を有するものであってもよい。この場合、プロセッサ１００を高い動作周波数で動作させて、データ容量の大きい画像データを生成させ、速い転送速度で表示部３００に送信して表示パネル３３０に高機能画像を表示させ、一方、プロセッサ２００を低い動作周波数で動作させて、データ容量の小さい画像データを生成させ、遅い転送速度で表示部３００に送信して表示パネル３３０に簡易な画像を表示させる。このような構成及び制御方法においても、上述した各実施形態と同様に、動作モードに応じてプロセッサ１００及び２００を使い分けることにより、ユーザの操作性を損なうことなく、各種の情報を多様な表示形態で提供することができるとともに、表示装置１０の消費電力を抑制することができる。
【０１１５】
また、上述した第２の実施形態においては、表示パネル３３０の視野側に配置される表示パネル４３０として、比較的高い反射率で屋外視認性に優れるＰＮ型やＰＤ型の液晶パネルを適用する場合について説明したが、本発明はこれに限定されるものではない。すなわち、上述したＰＮ型やＰＤ型の液晶パネルと同等の表示性能を有するものであれば、他の種類の表示パネルを適用することができる。具体的には、例えば透明有機ＥＬパネルや電子ペーパーに用いられる表示パネル等を良好に適用することができる。ここで、表示パネル４３０として、透明有機ＥＬパネルを適用した場合、透過状態を実現するためには、上述したＰＮ型の液晶パネルとは異なり、表示パネル４３０に電圧を印加する必要がないので、図１１（ａ）、（ｂ）、（ｄ）に示した各表示モードにおいて、プロセッサ２００における表示パネル４３０の表示機能を休止状態又は電源オフ状態に設定して、表示装置１０の消費電力を抑制することができる。
【０１１６】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【０１１７】
（付記）
［１］
メモリ性を有する複数の画素からなり、前記複数の画素の各々に保持された画素データに基づいて所定の画像が表示される表示パネルと、
第１の転送速度で第１の画像データを受信する第１の受信ポートと、前記第１の転送速度よりも遅い第２の転送速度で第２の画像データを受信する第２の受信ポートとを備え、前記表示パネルの前記複数の画素の各々に、前記第１の画像データ及び前記第２の画像データに基づく前記画素データを書き込むドライバ回路と、
を有し、
前記ドライバ回路は、
第１の表示モードでは、前記第１の受信ポートを介して受信した前記第１の画像データに基づく前記画素データを、前記複数の画素の各々に書き込んで、前記表示パネルに前記第１の画像データに基づく第１の画像を表示し、
第２の表示モードでは、前記第１の受信ポートからの受信を停止し、前記第２の受信ポートを介して受信した前記第２の画像データに基づく前記画素データを、前記複数の画素の各々に書き込んで、前記表示パネルに前記第２の画像データに基づく第２の画像を表示する、
ことを特徴とする表示モジュール。
【０１１８】
［２］
前記ドライバ回路は、
第３の表示モードでは、前記第１の受信ポートを介して受信した前記第１の画像データに基づく前記画素データを、前記複数の画素の各々に書き込んで、前記表示パネルに前記第１の画像データに基づく前記第１の画像を表示した状態で、前記第２の受信ポートを介して受信した前記第２の画像データに基づく前記画素データを、前記複数の画素の各々に書き込んで、前記第１の画像の一部を前記第２の画像に書き換えることを特徴とする［１］に記載の表示モジュール。
【０１１９】
［３］
前記第１の受信ポートは、前記第１の画像データを受信する際の前記第１の転送速度に対応した第１の通信規格を有し、
前記第２の受信ポートは、前記第２の画像データを受信する際の前記第２の転送速度に対応した第２の通信規格を有し、
前記第１の通信規格と前記第２の通信規格は異なることを特徴とする［１］又は［２］に記載の表示モジュール。
【０１２０】
［４］
前記ドライバ回路は、前記複数の画素の各々に保持された前記画素データとは関係なく、前記第１の受信ポート又は前記第２の受信ポートを介して受信した前記画像データを、前記表示パネルに表示させることを特徴とする［１］乃至［３］のいずれかに記載の表示モジュール。
【０１２１】
［５］
前記ドライバ回路は、フレームメモリを備え、前記複数の画素の各々に保持された前記画素データとは関係なく、前記フレームメモリに記憶された前記画像データを、前記表示パネルに表示させることを特徴とする［１］乃至［３］のいずれかに記載の表示モジュール。
【０１２２】
［６］
前記ドライバ回路は、
少なくとも前記第１の受信ポートを介して受信した前記第１の画像データを保持するフレームメモリを備え、
前記第１の表示モードでは、前記フレームメモリに保持された前記第１の画像データを参照して、前記複数の画素の各々に書き込まれた前記画素データを書き換えることにより、前記第１の画像を書き換え、
前記第２の表示モードでは、前記第２の受信ポートを介して受信し前記フレームメモリに保持された前記第２の画像データを参照して、前記複数の画素の各々に書き込まれた前記画素データを書き換えることにより、又は、前記第２の受信ポートを介して受信した前記第２の画像データに基づいて、前記複数の画素の各々に書き込まれた前記画素データを直接書き換えることにより、前記第２の画像を書き換える、
ことを特徴とする［１］乃至［４］のいずれかに記載の表示モジュール。
【０１２３】
［７］
前記表示パネルに設けられた前記複数の画素は、各々、複数のサブ画素を有し、
前記ドライバ回路は、
前記第１の表示モードでは、前記フレームメモリに保持された前記第１の画像データに基づく前記画素データを、前記サブ画素単位で読み出して、前記複数の画素の前記サブ画素に書き込むことにより、前記第１の画像を書き換え、
前記第２の表示モードでは、前記フレームメモリに保持された前記第２の画像データに基づく前記画素データを、前記サブ画素単位で読み出して、前記複数の画素の前記サブ画素に書き込むことにより、又は、前記第２の受信ポートを介して受信した前記第２の画像データに基づく前記画素データを、前記サブ画素単位で、前記複数の画素の前記サブ画素に直接書き込むことにより、前記第２の画像を書き換える、
ことを特徴とする［５］又は［６］に記載の表示モジュール。
【０１２４】
［８］
前記ドライバ回路は、
前記第１の表示モードでは、前記複数の画素の各々の前記サブ画素に、所定の複数ビットからなる前記画素データを書き込んで、前記第１の画像を表示し、
前記第２の表示モードでは、前記複数の画素の各々の前記サブ画素に、前記複数ビットよりも小さいビット数、又は、１ビットからなる前記画素データを書き込んで、前記第２の画像を表示する、
ことを特徴とする［７］に記載の表示モジュール。
【０１２５】
［９］
前記第１の表示モードのとき、前記画像データは、前記画素を構成するＲ（赤）、Ｇ（緑）、Ｂ（青）の各色の前記サブ画素当たり複数ビットで構成され、
前記第２の表示モードのとき、前記画像データは、前記Ｒ（赤）、Ｇ（緑）、Ｂ（青）の各色の前記サブ画素当たり１ビットで構成されることを特徴とする［８］に記載の表示モジュール。
［１０］
第１の動作周波数で動作し、第１の画像データを生成する第１のプロセッサと、
前記第１の動作周波数よりも低い第２の動作周波数で動作し、第２の画像データを生成する第２のプロセッサと、
メモリ性を有する複数の画素からなり、前記複数の画素の各々に保持された画素データに基づいて所定の画像が表示される表示パネルと、
前記第１のプロセッサに接続され、第１の転送速度で前記第１の画像データを受信する第１の受信ポートと、前記第２のプロセッサに接続され、前記第１の転送速度よりも遅い第２の転送速度で前記第２の画像データを受信する第２の受信ポートとを備え、前記表示パネルの前記複数の画素の各々に、前記第１の画像データ及び前記第２の画像データに基づく前記画素データを書き込むドライバ回路と、
を有し、
前記第１のプロセッサ及び前記第２のプロセッサはそれぞれ連携通信部を介し所定の連携信号を送受信して相互に連携して前記ドライバ回路を制御して、前記複数の画素の各々に、前記第１の画像データに基づく前記画素データを書き込んで、前記表示パネルに前記第１の画像データに基づく第１の画像を表示する第１の表示モードと、前記第１のプロセッサを休止状態に設定して前記第１の画像データを受信することなく、前記複数の画素の各々に、前記第２の画像データに基づく前記画素データを書き込んで、前記表示パネルに前記第２の画像データに基づく第２の画像を表示する第２の表示モードと、を切り換えることを特徴とする表示装置。
【０１２６】
［１１］
第１の表示モードと第２の表示モードとを切り換え換え可能な表示装置であって、
画素毎にメモリを有する表示パネルと、
第１の受信ポートと第２の受信ポートを有し、前記表示パネルを駆動するドライバ回路と、
前記表示パネルに表示させる画像データを記憶するフレームメモリと、
前記第１の表示モードを制御する第１のプロセッサと、
前記第２の表示モードを制御する第２のプロセッサと、
を有し、
前記第１の表示モードのとき、前記第１のプロセッサが、前記第１の受信ポートを介して前記フレームメモリ内の前記画像データを書き換えることにより前記表示パネルの表示を書き換え、
前記第２の表示モードのとき、前記第２のプロセッサが、前記表示パネルの表示を書き換える、
ことを特徴とする表示装置。
【０１２７】
［１２］
前記第２の表示モードのとき、前記第２のプロセッサが、前記第２の受信ポートを介して前記画素毎の前記メモリを直接書き換えることにより、前記画素毎の前記メモリを書き換えることにより、前記表示パネルの表示を書き換える、
ことを特徴とする［１０］又は［１１］に記載の表示装置。
【０１２８】
［１３］
前記第２の表示モードのとき、前記第２のプロセッサが、前記フレームメモリ内の前記画像データを書き換え、前記ドライバ回路が前記フレームメモリ内の前記画像データを参照して、前記画素毎の前記メモリを書き換えることにより、前記表示パネルの表示を書き換える、ことを特徴とする［１１］に記載の表示装置。
【０１２９】
［１４］
前記表示パネルの視野側に、前記第２の画像データに基づいて表示状態が制御される、透過表示が可能な他の表示パネルを有し、
前記ドライバ回路は、
前記表示パネルに前記第１の画像データに基づく前記第１の画像を表示した状態で、前記他の表示パネルに前記第２の画像データに基づく前記第２の画像を表示することを特徴とする［１０］乃至［１３］のいずれかに記載の表示装置。
【０１３０】
［１５］
第１のプロセッサにより第１の画像データを生成し、
第２のプロセッサにより第２の画像データを生成し、
前記第１のプロセッサ及び前記第２のプロセッサをそれぞれ連携通信部を介し所定の連携信号を送受信して相互に連携させて、表示パネルに設けられたメモリ性を有する複数の画素の各々に、前記第１のプロセッサから第１の受信ポートを介して送信された前記第１の画像データに基づく画素データを書き込み、前記表示パネルに前記第１の画像データに基づく第１の画像を表示する第１の表示モードと、前記第１のプロセッサを停止状態に設定して、前記複数の画素の各々に、前記第２のプロセッサから第２の受信ポートを介して送信された前記第２の画像データに基づく前記画素データを書き込み、前記表示パネルに前記第２の画像データに基づく第２の画像を表示する第２の表示モードと、を切り換えることを特徴とする表示装置の制御方法。
【０１３１】
［１６］
コンピュータを、請求項１０乃至１４のいずれかに記載の表示装置として機能させるための、あるいは、コンピュータに、請求項１５に記載の制御方法を実行させるための表示装置の制御プログラム。
【符号の説明】
【０１３２】
１０      表示装置
１００、２００    プロセッサ
１２０、２２０    入力操作部
１５０、２５０    連携通信部
２１０    センサ部
３００、４００    表示部
３１０、４１０    ドライバ回路
３１２、４１２    インターフェース回路
３１４    フレームメモリ
３３０、４３０    表示パネル
４１４    画像メモリ
５００    光源部
６００    電源部
Ｉ／Ｆ（Ａ）〜Ｉ／Ｆ（Ｃ）    インターフェース
【図１】
2017116661.tif 000003
【図２】
2017116661.tif 000004
【図３】
2017116661.tif 000005
【図４】
2017116661.tif 000006
【図５】
2017116661.tif 000007
【図６】
2017116661.tif 000008
【図７】
2017116661.tif 000009
【図８】
2017116661.tif 000010
【図９】
2017116661.tif 000011
【図１０】
2017116661.tif 000012
【図１１】
2017116661.tif 000013
【図１２】
2017116661.tif 000014